【手続補正書】
【提出日】平成17年2月15日(2005.2.15)
【手続補正１】
【補正対象書類名】特許請求の範囲
【補正対象項目名】全文
【補正方法】変更
【補正の内容】
【特許請求の範囲】
【請求項１】
Ａ）ユーザ・プロファイルを記憶する記憶場所を有する記憶媒体と、
Ｂ）前記記憶媒体内に記憶される入力データ用のフィールドを有する新しいユーザ・プロファイルを作成するためのユーザ・インタフェースと、
Ｃ）記憶されたユーザ・プロファイルからデータを選択しコピーするユーザのオプションを含む、新しいユーザ・プロファイルを作成するための前記ユーザ・インタフェースと、
Ｄ）記憶されたユーザ・プロファイルを選択し、記憶されたユーザ・プロファイルから選択されたデータを、新しいユーザ・プロファイル内の対応するフィールドにコピーし、この新しいユーザ・プロファイルを記憶場所に記憶するための手段と、から成るユーザ・プロファイル作成装置。
【請求項２】
記憶され選択されたユーザ・プロファイルからユーザ・インタフェースのフィールドにコピーされる前記データを編集することができる、請求項１記載のユーザ・プロファイル作成装置
【請求項３】
記憶されたユーザ・プロファイルが、ユーザの識別、およびテレビ番組の格付け制限、チャンネルのリスト、視聴時間、および親子の区別のうちの１つ以上、に関するデータを含む、請求項１記載のユーザ・プロファイル作成装置。
【請求項４】
ユーザ・インタフェースがテレビジョン画面のディスプレイと、ディスプレイに表示されるオプションを選択しフィールド内に英数字のデータを入力するための入力モジュールとから成る、請求項１記載のユーザ・プロファイル作成装置。
【請求項５】
ユーザ・インタフェースが、データをフィールド内に入力して選択を行うための手段を含む、請求項１記載のユーザ・プロファイル作成装置。
【請求項６】
記憶されたユーザ・プロファイルを選択し、記憶されたユーザ・プロファイルから選択されたデータを新しいユーザ・プロファイル内の対応するフィールドにコピーし、且つ新しいユーザ・プロファイルを記憶場所に記憶する前記手段がプロセッサを含む、請求項１記載のユーザ・プロファイル作成装置。
【請求項７】
ユーザ・プロファイルが不揮発性メモリ内に記憶される、請求項１記載のユーザ・プロファイル作成装置。
【請求項８】
記憶されたユーザ・プロファイルを選択し、記憶されたユーザ・プロファイルから選択されたデータを新しいユーザ・プロファイル内の対応するフィールドにコピーし、この新しいユーザ・プロファイルを記憶場所に記憶する前記手段がプロセッサを含み、前記ユーザ・プロファイルは不揮発性メモリ内に記憶され、前記ユーザ・インタフェースは、テレビジョン画面のディスプレイと、ディスプレイに表示されるオプションを選択し且つ英数字のデータをフィールド内に入力するための入力モジュールとから成り、前記ユーザ・プロファイルは、ユーザの識別、およびテレビジョン番組の格付け制限、チャンネルのリスト、費用制限、視聴時間、および親子の区別のうち１つ以上を含む、請求項１記載のユーザ・プロファイル作成装置。
【請求項９】
請求項１によるユーザ・プロファイル作成装置を有し、親の管理システムを備えるテレビジョン装置。
【請求項１０】
娯楽装置において新しいユーザ・プロファイルを作成する方法であって、ユーザ・プロファイルは、フィールド内に配列されたデータから成り、記憶されたユーザ・プロファイルのリストにアクセスする手段を有する新しいユーザ・プロファイル・インタフェースを表示するステップと、記憶されたユーザ・プロファイルを選択するステップと、選択されたユーザ・プロファイルのフィールドから新しいユーザ・プロファイル・インタフェースの対応するフィールドにデータをコピーするステップと、から成る前記方法。
【請求項１１】
前記フィールドが、ユーザの識別、およびテレビジョン番組の格付け制限、チャンネルのリスト、費用制限、視聴時間、および親子の区別のうち１つ以上を含む、請求項１０記載の方法。
【請求項１２】
新しいユーザ・プロファイルを不揮発性メモリ内に記憶するステップを含む、請求項１０記載の方法。
【請求項１３】
新しいユーザ・プロファイル・インタフェースのフィールド内にコピーされたデータを編集するステップを含む、請求項１２記載の方法。
【請求項１４】
記憶されたユーザ・プロファイルを不揮発性メモリから選択するステップと、不揮発性メモリに設定される、記憶され選択されたユーザ・プロファイルを新しいユーザ・プロファイルの対応するローカル変数にコピーするステップと、ローカル変数を編集するステップと、ローカル変数を新しいユーザ・プロファイルとして不揮発性メモリに記憶するステップと、から成る請求項１０記載の方法。
【手続補正２】
【補正対象書類名】明細書
【補正対象項目名】０００２
【補正方法】変更
【補正の内容】
【０００２】
ケーブル・テレビジョン、衛星放送システム、およびその他のテレビジョン番組放送システムの出現によって、テレビジョンの視聴者が選択しようとする番組は非常に多数ある。これらのシステムの多くは、電子番組ガイド（Ｅｌｅｃｔｒｏｎｉｃ  Ｐｒｏｇｒａｍ  Ｇｕｉｄｅ：ＥＰＧ）システム（ハードウェア、ソフトウェア、ダウンロード／記憶機能を含む）を利用する。電子番組ガイドは新聞その他の印刷媒体に見られるテレビジョンの番組欄と同等の双方向のオンスクリーン表示（Ｏｎ‐Ｓｃｒｅｅｎ  Ｄｉｓｐｌａｙ：ＯＳＤ）である。電子番組ガイドは、電子番組ガイドでカバーされる時間枠内に在る各番組について最大２０種類の異なる情報を提供できる。典型的な電子番組ガイド・システムの場合、電子ホスト（ｈｏｓｔ）装置は、電子番組ガイドの時間枠内に在って、近く放送予定のテレビジョン番組についての記録を記憶する。各記録には、近く放送が予定されるテレビジョン番組に特有の番組識別（ｉｄｅｎｔｉｆｉｃａｔｉｏｎ）データが含まれている。この番組識別データには、番組のタイトル、開始時間、終了時間、持続期間、視聴年齢制限の格付け、残り時間、内容、コスト、トピック、テーマ、俳優、作家、製作スタジオ、賞、キーワード、放送日時、監督、簡単な説明などが含まれている。これらの記録は定期的に更新され、前に放送された番組の記録は消去され、時間の経過につれ、電子番組ガイドの時間枠内に入る近く放送予定の番組について新しい記録が追加される。
【手続補正３】
【補正対象書類名】明細書
【補正対象項目名】０００３
【補正方法】変更
【補正の内容】
【０００３】
米国特許第５，５１５，１０６号（チャニー：Ｃｈａｎｅｙ）には、電子番組ガイド・システムを実現するために必要なデータ・パケットの構成について記載されている。このデータ・パケットは、チャンネル情報（例えば、チャンネル名、呼出し符号、チャンネル番号、タイプなど）、および番組に関連する番組識別情報（例えば、内容、タイトル、格付け、スター、持続期間、コストなど）が、番組ガイド・データベースのプロバイダから、テレビジョン受信機のような受信装置に効率的に送信されるように構成されている。
【手続補正４】
【補正対象書類名】明細書
【補正対象項目名】０００４
【補正方法】変更
【補正の内容】
【０００４】
現行の多くのシステムでは、システムのユーザは複数のユーザ・プロファイルをセットアップ(設定)することができ、複数のシステム／番組パラメータが各ユーザについて自動的に構成される。これらのユーザ・プロファイルのパタメータには、各ユーザについて、例えば、お気に入りのチャンネル・リスト、言語の設定、映像／音声の設定、ペイ・パー・ビューの管理、子供に対する親による管理（ｐａｒｅｎｔａｌ  ｃｏｎｔｒｏｌ）などが含まれる。各ユーザ・プロファイルで、親による管理は更に、ユーザが選択できる事項として、（１）特定の視聴者が平日または週末にテレビジョンを見ることを許される時間量、（２）特定の視聴者が１番組当たりまたは１カ月当たりペイ・パー・ビュー番組に支出できる金額、（３）特定の視聴者がアクセスすべき特定のチャンネル、そして（４）特定の視聴者が週末または平日に衛星放送の番組を見ることのできる時間数が含まれる。
【手続補正５】
【補正対象書類名】明細書
【補正対象項目名】０００５
【補正方法】変更
【補正の内容】
【０００５】
しかしながら、現行の方法およびシステムを使用して、新しいユーザ・プロファイルを設定するには多くの時間を要する。現行のシステムでは、システムの所有者（オーナ：すなわち、親）が新しいプロファイルを設定する場合、多数のパラメータを選択しなければならない。これらのパラメータには、映画の格付け制限、テレビジョン番組の格付け制限、ＤＳＬＶＦＶ内容の限度の設定、内容について格付けがなされていない番組の視聴を許可すべきか否かの決定、イベントごとの費用制限および毎月の費用制限の設定、週末および平日の最大視聴可能時間の設定、週末および平日に衛星放送の番組を見ていられる時間数の設定、および特定のチャンネル（２００以上のチャンネルがある）へのアクセスを阻止すべきか許可すべきかを決定するチャンネル・リストの設定、が含まれる。
【手続補正６】
【補正対象書類名】明細書
【補正対象項目名】０００６
【補正方法】変更
【補正の内容】
【０００６】
（発明の概要）
本発明者達は、ユーザ・プロファイル（親による管理のパラメータを含む）用に現在利用できるフィールドは数量が多く、新しいユーザ・プロファイルの設定は面倒であり、かなりの時間を要することを認識した。更に、システムの所有者が第２のユーザ・プロファイルを作成したい場合、たとえその第２のユーザ・プロファイルが既に作成され記憶されている第１のプロファイルと相当に類似していても、その手順全体を何度も繰り返さなければならず、一層問題となる。
【手続補正７】
【補正対象書類名】明細書
【補正対象項目名】０００９
【補正方法】変更
【補正の内容】
【０００９】
記憶され選択されたユーザ・プロファイルからユーザ・インタフェースのフィールドにコピーされるデータは編集することができる。また、記憶されたユーザ・プロファイルは、ユーザの識別、およびテレビジョン番組の格付け制限、チャンネルのリスト、費用制限、視聴時間、および親子の区別のうち１つ以上に関するデータを含むことが好ましい。更に、ユーザ・インタフェースは、画面に表示されるオプションを選択して英数字のデータをフィールド内に入れるために、テレビジョン画面および入力モジュールを備えることができる。
【手続補正８】
【補正対象書類名】明細書
【補正対象項目名】００１１
【補正方法】変更
【補正の内容】
【００１１】
記憶されたユーザ・プロファイルを選択し、記憶されたユーザ・プロファイルから選択されるデータを新しいユーザ・プロファイル内の対応するフィールドにコピーして、記憶場所に新しいユーザ・プロファイルを記憶する前記手段はプロセッサから成り、ユーザ・プロファイルは不揮発性メモリ内に記憶され、ユーザ・インタフェースは、テレビジョン画面、およびテレビジョン画面に表示されるオプションを選択して英数字データをフィールド内に入れるための入力モジュール、ユーザの識別、およびテレビジョン番組の格付け制限、チャンネルのリスト、費用制限、視聴時間、および親子の区別のうち１つ以上を含むユーザ・プロファイル、から成る。
【手続補正９】
【補正対象書類名】明細書
【補正対象項目名】００１２
【補正方法】変更
【補正の内容】
【００１２】
別の実施例に於いて、本発明は、ユーザ・プロファイル作成装置を備える親による管理システムを有するテレビジョン装置であって、娯楽システムのユーザ・プロファイルを記憶する記憶場所を有する記憶媒体、記憶媒体内に記憶される入力データ用のフィールドを有する新しいユーザ・プロファイルを作成するためのユーザ・インタフェース、記憶されたユーザ・プロファイルからデータを選択してコピーするユーザのオプションを含む新しいユーザ・プロファイルを作成するための前記ユーザ・インタフェース、および記憶されたユーザ・プロファイルを選択し、記憶されたユーザ・プロファイルから選択されるデータを新しいユーザ・プロファイル内の対応するフィールドにコピーして、この新しいユーザ・プロファイルを記憶場所に記憶する手段、から成る。
【手続補正１０】
【補正対象書類名】明細書
【補正対象項目名】００１４
【補正方法】変更
【補正の内容】
【００１４】
フィールドは、ユーザの識別、およびテレビジョン番組の格付け制限、チャンネルのリスト、費用制限、視聴時間、および親子の区別のうち１つ以上、を含むことが好ましい。